(57)【要約】【課題】コンクリートブロックに十分な量の施肥剤を付与でき、長期間施肥剤の効果を持続でき、製造にかかるコストや時間を低減できるコンクリートブロックを提供する。【解決手段】コンクリートブロック１は、コンクリート型枠１１と、コンクリート型枠１１に流し込まれ、硬化したコンクリート１０と、を有している。コンクリート型枠１１は、布製であり、コンクリート側に突出する袋部を有している。袋部には、固形の施肥剤が収容されている。【選択図】図１
2016067334.tif 000002
【特許請求の範囲】
【請求項１】
コンクリートブロックであって、
コンクリート型枠と、
前記コンクリート型枠に流し込まれ、硬化したコンクリートと、を有し、
前記コンクリート型枠は、布製であり、コンクリート側に突出する袋部を有し、
前記袋部には、固形の施肥剤が収容されている、コンクリートブロック。
【請求項２】
前記袋部は、前記コンクリート型枠の側壁部の内周に沿って複数配置されている、請求項１に記載のコンクリートブロック。
【請求項３】
前記袋部は、前記コンクリート型枠の側壁部の一部を内側に湾曲させ、その湾曲部の上下部分と付け根部分をホッチキスで留めることにより形成されている、請求項１又は２に記載のコンクリートブロック。
【請求項４】
前記コンクリートの上面には、施肥剤の塊が固着されている、請求項１〜３のいずれかに記載のコンクリートブロック。
【請求項５】
前記コンクリートの上面には、取っ手が設けられている、請求項１〜４のいずれかに記載のコンクリートブロック。
【請求項６】
前記コンクリートは、ポーラスコンクリートである、請求項１〜５のいずれかに記載のコンクリートブロック。
【請求項７】
固形の施肥剤を収容した袋部を内側に突出するように備えた布製のコンクリート型枠に、コンクリートを流し込み、硬化したコンクリートと前記コンクリート型枠を有するコンクリートブロックを形成する、コンクリートブロックの製造方法。
【請求項８】
前記コンクリートを流し込む前に、前記布製のコンクリート型枠を容器に入れる工程と、
形成された前記コンクリートブロックを前記容器から取り出す工程と、を有する、請求項７に記載のコンクリートブロックの製造方法。
【請求項９】
前記コンクリート型枠の側壁部の一部を内側に湾曲させ、その湾曲部の上下部分と付け根部分をホッチキスで留めることにより前記袋部を形成する、請求項７又は８に記載のコンクリートブロックの製造方法。
【請求項１０】
前記コンクリートの上面に施肥剤の塊を固着する、請求項７〜９のいずれかに記載のコンクリートブロックの製造方法。
【請求項１１】
前記コンクリートの上面に取っ手を設ける、請求項７〜１０のいずれかに記載のコンクリートブロックの製造方法。
【請求項１２】
前記コンクリートは、ポーラスコンクリートである、請求項７〜１１のいずれかに記載のコンクリートブロックの製造方法。
【発明の詳細な説明】
【技術分野】
【０００１】
本発明は、コンクリートブロック及びその製造方法に関する。
【背景技術】
【０００２】
従来から、河川や海洋における水産資源の確保や環境改善のため、河川や海洋に設置される消波、根固、被覆ブロックなどのコンクリートブロックを用いて人工の藻場や魚場を育成することが行われている。
【０００３】
そして、人工の藻場や漁場を効率的に育成するため、水中植物の成長を促進させる液状の施肥剤をブロックの型枠部材に含浸させることが提案されている（特許文献１参照）。
【先行技術文献】
【特許文献】
【０００４】
【特許文献１】国際公開第２０１３/０４２７９３号公報
【発明の概要】
【発明が解決しようとする課題】
【０００５】
しかしながら、上記技術の場合、型枠部材に含浸できる施肥剤の量には限りがあるため、ブロックに十分な量の施肥剤を付与できない恐れがある。また施肥剤を含浸したブロックを河川や海洋に設置したときに施肥剤が直ちに水中に拡散し、短期間で施肥剤の効果が薄れることも懸念される。
【０００６】
さらに、施肥剤を含浸させるための上記ブロックは、構造が煩雑であり、比較的製造にコストや時間がかかるため、それらのコストや時間を低減することが望まれている。
【０００７】
本出願は、かかる点に鑑みてなされたものであり、コンクリートブロックに十分な量の施肥剤を付与でき、長期間施肥剤の効果を持続でき、製造にかかるコストや時間を低減できるコンクリートブロック及びその製造方法を提供することをその目的とする。
【課題を解決するための手段】
【０００８】
上記目的を達成するための本発明は、コンクリートブロックであって、コンクリート型枠と、前記コンクリート型枠に流し込まれ、硬化したコンクリートと、を有し、前記コンクリート型枠は、布製であり、コンクリート側に突出する袋部を有し、前記袋部には、固形の施肥剤が収容されている、コンクリートブロックを含む。
【０００９】
前記袋部は、前記コンクリート型枠の側壁部の内周に沿って複数配置されていてもよい。
【００１０】
前記袋部は、前記コンクリート型枠の側壁部の一部を内側に湾曲させ、その湾曲部の上下部分と付け根部分をホッチキスで留めることにより形成されていてもよい。
【００１１】
前記コンクリートの上面には、施肥剤の塊が固着されていてもよい。
【００１２】
前記コンクリートの上面には、取っ手が設けられていてもよい。
【００１３】
前記コンクリートは、ポーラスコンクリートであってもよい。
【００１４】
別の観点による本発明は、固形の施肥剤を収容した袋部を内側に突出するように備えた布製のコンクリート型枠に、コンクリートを流し込み、硬化したコンクリートと前記コンクリート型枠を有するコンクリートブロックを形成する、コンクリートブロックの製造方法を含む。
【００１５】
上記コンクリートブロックの製造方法は、前記コンクリートを流し込む前に、前記布製のコンクリート型枠を容器に入れる工程と、形成されたコンクリートブロックを前記容器から取り出す工程と、を有していてもよい。
【００１６】
前記コンクリート型枠の側壁部の一部を内側に湾曲させ、その湾曲部の上下部分と付け根部分をホッチキスで留めることにより前記袋部を形成するようにしてもよい。
【００１７】
前記コンクリートの上面に施肥剤の塊を固着するようにしてもよい。
【００１８】
前記コンクリートの上面に取っ手を設けるようにしてもよい。
【００１９】
前記コンクリートは、ポーラスコンクリートであってもよい。
【発明の効果】
【００２０】
本発明によれば、コンクリートブロックに十分な量の施肥剤を付与でき、長期間施肥剤の効果を持続でき、製造にかかるコストや時間を低減できる。
【図面の簡単な説明】
【００２１】
【図１】コンクリートブロックの斜視図である。
【図２】コンクリートブロックの横断面図である。
【図３】コンクリート型枠の袋部を示す説明図である。
【図４】コンクリート型枠を容器に入れる様子を示す説明図である。
【図５】コンクリートを流し込んだコンクリート型枠の断面図である。
【図６】容器内に形成されたコンクリートブロックを示す断面図である。
【発明を実施するための形態】
【００２２】
以下、添付図面を参照しながら本発明の実施の形態について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００２３】
図１は、本実施の形態に係るコンクリートブロック１の構成を示す斜視図である。
【００２４】
コンクリートブロック１は、コンクリート１０と、硬化前のコンクリートが流し込まれ、硬化後のコンクリート１０の表面に接着するコンクリート型枠１１を有している。
【００２５】
コンクリート型枠１１は、布製である。布は、繊維が自然素材であり、表面が粗いもの、透水性が高いもの、強度が高いもの等が好ましい。布の種類は、例えば帆布、藁、麻等の布が好ましい。
【００２６】
コンクリート型枠１１は、例えば略有底円筒状の容器型であり、底部２０と側壁部２１を有している。底部２０と側壁部２１は、一枚の布により一体的に形成されていてもよいし、別の布により別々に形成されていてもよい。
【００２７】
側壁部２１の内周面には、図２に示すように内側に突出した複数の袋部３０が形成されており、袋部３０には、固形で粒状の施肥剤Ａが充填されている。袋部３０は、例えば側壁部２１の内周面に沿って等間隔に配置されている。袋部３０は、例えば図３に示すようにコンクリート型枠１１の側壁部２１の布の一部を内側に湾曲させ、その湾曲部の上下部分と付け根部分をホッチキス３１で留めることにより形成されている。これにより、袋部３０の付け根部分には、コンクリート型枠１１の外部と通じる間隙（スリット）３２ができる。
【００２８】
施肥剤Ａは、例えば鉄イオン系の化合物を含む固形の混合物である。施肥剤Ａは、例えば硫酸鉄とバーミキュライトを含むものであってもよいが、これに限られず、水中植物の成長、付着を促進させる公知の他の物質であってもよい。施肥剤Ａの粒径は、例えば１ｍｍ〜１０ｍｍ程度のものが好ましい。施肥剤Ａは、例えば水中植物の成長を促進させる物質が入っている水溶液に、軽石や火山灰などの多孔質なものを浸けこみ水溶液を十分に含浸させ、これを空気中で自然乾燥させて製造する。
【００２９】
コンクリート１０は、硬化前のコンクリートをコンクリート型枠１１に流し込み、硬化させて成型したものであり、略円柱形状を有している。コンクリート１０には、例えばポーラスコンクリートが用いられている。コンクリート１０は、図２に示すようにコンクリート型枠１１の袋部３０を含有して保持している。コンクリート１０の外周表面には、布であるコンクリート型枠１１が接着しており、凹凸面が形成されている。
【００３０】
図１に示すようにコンクリート１０の露出面である上面には、施肥剤Ａの塊４０が固着されている。この塊４０は、例えば施肥剤Ａにポーラスコンクリートを混ぜて固めることにより形成されている。また、コンクリート１０の上面には、人が運ぶ際に持つ金属製の取っ手５０が設けられている。
【００３１】
次に、上記構成を有するコンクリートブロック１の製造方法の一例について説明する。
【００３２】
先ず、図３に示したように布製のコンクリート型枠１１の各袋部３０に固形の施肥剤Ａを充填し、袋部３０の上下部分と付け根部分をホッチキス３１で留める。次に、図４に示すようにコンクリート型枠１１を、例えば樹脂製のタライなどの容器６０に入れる。次に、図５に示すようにコンクリート型枠１１内に、未硬化の生コンクリートを流し込む。その後、図６に示すように未硬化のコンクリートの上面に施肥剤Ａの塊４０と取っ手５０を載せる。その後所定時間放置してコンクリート１０を硬化し、これによって、コンクリート１０とコンクリート型枠１１が一体となったコンクリートブロック１が形成される。最後に、取っ手５０を持ってコンクリートブロック１を容器６０から取り出す。
【００３３】
製造されたコンクリートブロック１は、例えば河川、海洋の被覆工、漁礁工、消波工、根固工等に使用され、河川、海洋（海岸、港湾、漁場等）或いはその周辺に単独、あるいは多数個敷設される。
【００３４】
本実施の形態によれば、コンクリート型枠１１の袋部３０に固形の施肥剤Ａを収容できるので、コンクリートブロック１に十分な量の施肥剤Ａを付与でき、水中植物の育成の促進を十分に行うことができる。また、袋部３０により、また施肥剤Ａが固形であることにより、施肥剤Ａの溶出を遅らせることができるので、施肥剤Ａの効果を長期間持続させ、長期間にわたり水中植物の育成を促進できる。さらに、コンクリート型枠１１の袋部３０がコンクリート１０の内部に入り込んで、コンクリート型枠１１がコンクリート１０から剥がれることがないので、水流に曝されたときにコンクリート型枠１１の施肥剤Ａがコンクリートブロック１から離脱することを防止できる。この結果、コンクリートブロック１が河川、海洋に設置されたときに、十分な量の施肥剤Ａが長時間保持され、水中植物の育成の促進を持続的にかつ適正に行うことができる。さらに、コンクリートブロック１が、主に布製のコンクリート型枠１１とコンクリート１０により構成されるので、短時間かつ低コストで製造できる。また、コンクリート型枠１１が布製であることにより、コンクリート型枠１１に水中植物の種子や胞子が付着しやすい。またコンクリート型枠１１が腐食して剥がれた後も、コンクリート１０の表面に布による凹凸が残り、ここにも水中植物の種子や胞子が付着しやすくなる。
【００３５】
袋部３０が、コンクリート型枠１１の側壁部２１の内周に沿って複数配置されているので、コンクリートブロック１の外周表面に沿って偏りなく十分な量の施肥剤Ａを付与できる。
【００３６】
袋部３０は、コンクリート型枠１１の側壁部２１の一部を内側に湾曲させ、その湾曲部の上下部分及び付け根部分をホッチキス３１で留めることにより形成されている。よって、縫製などの特殊な技術やミシン等が必要なく、きわめて簡単かつ安価にコンクリート型枠１１を製作できる。また、ホッチキス３１で留めることにより、袋部３０に間隙３２ができるので、袋部３０内の施肥剤成分を少しずつ確実に周囲に放散することができる。
【００３７】
コンクリート１０の上面には、施肥剤の塊４０が固着されているので、コンクリート１０の上面側でも水中植物の育成を促進できる。
【００３８】
コンクリート１０の上面には、取っ手５０が設けられているので、人手で運びやすくなっている。
【００３９】
コンクリート１０にポーラスコンクリートを使用しているので、コンクリートブロック１の表面に不規則な間隙を形成し、その間隙により流速を遅らせて水中植物の種子や胞子の付着を促進させることができる。また、コンクリートブロック１の表面積が増加するため、これによっても種子や胞子の付着を促進させることできる。
【００４０】
なお、コンクリート１０自体やコンクリート型枠１１にも施肥剤成分を混入、塗布、或いは含浸してもよい。かかる場合、水中植物の育成をさらに促進させることができる。
【００４１】
コンクリートブロック１は、手作業で簡単に製造することもできるので、総重量が５０ｋｇ以下の小型のコンクリートブロック１の製造にも適している。
【００４２】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４３】
例えばコンクリートブロック１の形状、大きさはこれに限られず任意に選択できる。また、コンクリート型枠１１の形状、特に袋部３０の形状、数も任意に選択できる。また、袋部３０は、必ずしもホッチキス３１で留めて形成する必要はなく他の手法で形成してもよい。さらに、コンクリート１０の上面の施肥剤の塊４０や取っ手５０はあってもなくてもよい。
【産業上の利用可能性】
【００４４】
本発明は、コンクリートブロックに十分な量の施肥剤を付与でき、長期間施肥剤の効果を持続でき、製造にかかるコストや時間を低減できるコンクリートブロックを提供する際に有用である。
【符号の説明】
【００４５】
１    コンクリートブロック
１０  コンクリート
１１  コンクリート型枠
２１  側壁部
３０  袋部
４０  施肥剤の塊
５０  取っ手
６０  容器
Ａ    施肥剤
【図１】
2016067334.tif 000003
【図２】
2016067334.tif 000004
【図３】
2016067334.tif 000005
【図４】
2016067334.tif 000006
【図５】
2016067334.tif 000007
【図６】
2016067334.tif 000008